(57)【要約】【課題】予備として携帯される記憶媒体を携帯するのに至便な形態の記憶媒体収納筐体を提供する。【解決手段】記憶媒体を収納する記憶媒体収納筐体であって電池形状に形成され記憶媒体を収納する収納部を有してなり、記憶媒体を上記収納部に収納した状態で該記憶媒体収納筐体を利用する機器に対して収納可能に構成されていることを特徴とする。を備えてなる。【選択図】図１０
2010154071.tif 000002
【特許請求の範囲】
【請求項１】
記憶媒体を収納する記憶媒体収納筐体において、
電池形状に形成され、上記記憶媒体を収納する収納部を有してなり、
上記記憶媒体を上記収納部に収納した状態で、該記憶媒体収納筐体を利用する機器に対して収納可能に構成されていることを特徴とする記憶媒体収納筐体。
【請求項２】
上記記憶媒体収納筐体が上記機器に装填された状態にあるとき、上記記憶媒体収納筐体に対して上記記憶媒体が挿抜可能に構成されていることを特徴とする請求項１に記載の記憶媒体収納筐体。
【請求項３】
上記記憶媒体収納筐体が上記機器に装填された状態にあるとき、上記記憶媒体収納筐体に上記記憶媒体を挿抜するための開口は、上記機器の電池室の開口から露呈される状態となるように構成されていることを特徴とする請求項１又は請求項２に記載の記憶媒体収納筐体。
【請求項４】
板形状からなる記憶媒体を収納し得るように構成されていることを特徴とする請求項１，請求項２，請求項３のいずれか一つに記載の記憶媒体収納筐体。
【請求項５】
上記記憶媒体収納筐体は、カメラに装着可能なバッテリホルダの電池収納室内に収納されるように構成されていることを特徴とする請求項１〜請求項４のいずれか一つに記載の記憶媒体収納筐体。
【発明の詳細な説明】
【技術分野】
【０００１】
この発明は、記憶媒体収納筐体、詳しくはカメラ等の電子機器に用いられるカード型メモリカード等の記憶媒体等を収納する記憶媒体収納筐体に関するものである。
【背景技術】
【０００２】
従来、撮影光学系により結像される光学像を撮像素子等の光電変換素子を用いて電気的な画像信号として取得し、この画像信号をデジタルデータ化した画像データ及びこの画像データに関連する各種情報データ等をデータファイル化して記憶媒体に記憶し得るように構成されたデジタルカメラ等の撮像装置（以下、単にカメラと略記する）が広く一般に普及している。
【０００３】
このような形態の従来のカメラに適用される記憶媒体としては、カメラ本体に内蔵される電気基板上に固定配置される形態の内蔵型メモリ素子のほかに、例えばカード型形状からなりカメラ本体に対して着脱自在に構成されるカード型メモリカード等が普及している。
【０００４】
このうちカード型メモリカード等の記憶媒体（以下、単にメモリカードと略記する）には、各種の記憶容量のものが存在するが、個々の記憶媒体に規定されている記憶容量を超えた容量のデータファイルを記憶させることができないのは当然である。
【０００５】
通常の場合、カメラ本体に対して装着し得るメモリカードは、一枚若しくは二枚となっているものが一般である。したがって、カメラを利用する際には、カメラ本体に装着して使用中のメモリカード以外に、予備としてのメモリカードを用意しておく場合がある。
【０００６】
しかしながら、カメラに適用されるメモリカードは、薄型のカード形状からなり電気接点が露呈されているような形態のものが普通である。また、これらのメモリカードは、これを適用するカメラの小型化に伴って近年増々小型化及び薄型化される傾向にある。
【０００７】
したがって、カメラ本体内に装着して使用可能状態にあるメモリカードとは別に、予備としてメモリカードを単体で携帯するような場合を考えると、接点部分等の汚損等や、メモリカード自体の紛失等の心配がある。
【０００８】
そこで、メモリカードを保持する記憶媒体収納筐体としてのメモリカードホルダ等について、例えば特開２０００−１０５８１１号公報等によって従来種々の提案が行われている。
【０００９】
上記特開２０００−１０５８１１号公報によって開示されているメモリカードホルダは、一端に設けられた開口から内部の収納空間内にメモリカードを挿入するように形成されている。また、メモリカードホルダの収納空間内の両側面には、抜け止め用の弾性片を備えて構成されている。
【００１０】
これによれば、メモリカードホルダの収納空間内にメモリカードを挿入した状態で携帯することができるので、接点等を保護することができると共に携帯性を向上させるというものである。
【特許文献１】特開２０００−１０５８１１号公報
【発明の開示】
【発明が解決しようとする課題】
【００１１】
ところが、上記特開２０００−１０５８１１号公報によって開示されているメモリカードホルダは、メモリカードを単体で携帯するのに比べて携帯性を向上させるとはいうものの、依然として小型であることに変わりはなく、また、カメラ本体とは別にメモリカードを挿入したメモリカードホルダを別途携帯する必要があることから、紛失等に対する問題点は解消されていない。
【００１２】
本発明は、上述した点に鑑みてなされたものであって、その目的とするところは、カメラ等の電子機器に用いられるカード型メモリカード等の記憶媒体等を収納する記憶媒体収納筐体であって、カメラ本体内に装着されて使用可能状態にある記憶媒体とは別に、予備として携帯される記憶媒体を携帯するのに至便な形態の記憶媒体収納筐体を提供することである。
【課題を解決するための手段】
【００１３】
上記目的を達成するために、本発明による記憶媒体収納筐体は、記憶媒体を収納する記憶媒体収納筐体であって、電池形状に形成され上記記憶媒体を収納する収納部を有してなり、上記記憶媒体を上記収納部に収納した状態で該記憶媒体収納筐体を利用する機器に対して収納可能に構成されていることを特徴とする。
【発明の効果】
【００１４】
本発明によれば、カメラ等の電子機器に用いられるカード型メモリカード等の記憶媒体等を収納する記憶媒体収納筐体であって、カメラ本体内に装着されて使用可能状態にある記憶媒体とは別に、予備として携帯される記憶媒体を携帯するのに至便な形態の記憶媒体収納筐体を提供することである。
【発明を実施するための最良の形態】
【００１５】
以下、図示の実施の形態によって本発明を説明する。
【００１６】
図１〜図７は、本発明の一実施形態の記憶媒体収納筐体が適用されるカメラシステムを示す図である。このうち図１，図２は、本カメラシステムの外観斜視図であって、図１は主に前面側を示し、図２は主に背面側を示している。図３，図４は本カメラシステムにおけるカメラ本体とバッテリホルダとを分離した状態を示す分解斜視図である。このうち図３は主に前面側を示し、図４は主に背面側を示している。図５，図６は、本カメラシステムにおけるカメラ本体と、カメラ本体内に装着されるバッテリとを示す斜視図である。このうち図５は主に前面側を示し、図６は主に背面側を示している。図７は、本カメラシステムの背面側を示す外観斜視図であって、バッテリホルダの開口蓋を開状態とした状態を示している。図８は、図１等に示す上記カメラシステムに適用される電池を示す外観斜視図である。図９〜図１０は、本実施形態の記憶媒体収納筐体を示す外観斜視図である。このうち図９は、本実施形態の記憶媒体収納筐体とこれに収納される記憶媒体を示している。図１０は、本実施形態の記憶媒体収納筐体に対して記憶媒体が収納されている状態を示している。
【００１７】
図に示すように、本実施形態の記憶媒体収納筐体５（図７，図９，図１０に図示）が適用されるカメラシステム１は、カメラ２とバッテリホルダ３と撮影レンズ鏡筒（図示せず）等によって主に構成される。
【００１８】
カメラ２とバッテリホルダ３とは、図１，図２に示すように、所定の連結機構（後述する三脚ネジ穴３５ａと着脱ネジ６１）によって一体に連結した状態とすることができるようになっている。そして、カメラ２とバッテリホルダ３とを連結状態としたとき、カメラ２は、カメラ２内に収納される電池４及びバッテリホルダ３内に収納される電池４から供給される電力によって動作するようになっている。
【００１９】
また、カメラ２とバッテリホルダ３とは、図３，図４に示すように、上記連結機構による連結状態を解除することによって分離可能となっている。こうして分離されたカメラ２は、カメラ２内に収納される電池４のみによって、カメラ２単体でも動作可能となっている。
【００２０】
カメラ２は、カメラ外装部材１１と、このカメラ外装部材１１の内部に配設される各種の電気的構成部材や機械的構成部材と、カメラ外装部材１１の外表面に設けられる複数の操作部材及び各種の構成部材等によって構成される。
【００２１】
カメラ外装部材１１の前面又は上面には、例えばシャッターボタン１２，サブダイヤル１３，プレビューボタン１４，レンズ取り外しボタン１５等の複数の操作部材がそれぞれ所定の部位に配設されている。また、カメラ外装部材１１の背面には、例えばＡＥＬ／ＡＦＬボタン２２，メインダイヤル２３，再生ボタン２４，十字ボタン２５，カードカバーロックレバー２６，パワースイッチレバー２７，消去ボタン２８，情報表示（ＩＮＦＯ）ボタン２９，メニュー（ＭＥＮＵ）ボタン３０，ライブビューボタン３１等の複数の操作部材がそれぞれ所定の部位に配設されている。なお、これらの操作部材についての詳細は、本発明とは直接関連しない部分であるので、その説明を省略する。
【００２２】
カメラ外装部材１１の前面の略中央部分には、撮影用開口１１ａが形成されている。この撮影用開口１１ａの周縁部には、撮影光学系を有する撮影レンズ鏡筒（図示せず）を着脱自在に配設するためのマウント部１６が設けられている。
【００２３】
カメラ外装部材１１の上面の略中央部分には、ポップアップ式の内蔵フラッシュ１７，ホットシュー１８等が配設されている。また、カメラ外装部材１１の上面においてカメラ２の正面に向かって左側の部位にはコントロールパネル１９が配設されている。
【００２４】
カメラ外装部材１１の背面においてカメラ２の背面に向かって左寄りの部位には液晶モニタ２１が配設されている。この液晶モニタ２１の上側にはファインダ接眼部２０が配設されている。
【００２５】
カメラ外装部材１１の底面（図５，図６参照）には、カメラ２の正面に向かって左寄りの部位にカメラ電池蓋３３が、一端を回転軸として図５，図６に示す矢印Ｒ１方向に回動自在に配設されている。このカメラ電池蓋３３は、カメラ２の内部に形成される電池収納室の開口２ａを開閉するために設けられている。そのために、カメラ電池蓋３３には電池蓋開閉ノブ３３ａ（図５参照）が設けられている。そして、この電池蓋開閉ノブ３３ａを操作することにより、カメラ電池蓋３３を用いてカメラ外装部材１１の底面の開口２ａを閉塞する閉状態としたり、同開口２ａの閉状態を開放する開状態とすることができるようになっている。
【００２６】
なお、カメラ電池蓋３３を開状態としたとき、開口２ａから電池収納室内に向けて（図５，図６の矢印Ａ方向に）電池４を挿入することができるようになっている。なお、電池４は、図８に示すように、複数の凹形状（本実施形態では３つ）からなる接点部４ａを有して形成される専用電池であって、例えばリチウムイオン二次電池等の再充電可能な二次電池が適用される。なお、図８において符号４ｂで示す凹部は、電池収納室内に電池４が収納されたときに、後述するロックレバー５１ｂが係合する部位である。
【００２７】
こうして、電池４を電池収納室内に収納した状態で、カメラ電池蓋３３を閉状態にし、かつ電池蓋開閉ノブ３３ａを操作して、カメラ電池蓋３３をカメラ外装部材１１の底面に対して固定させると、カメラ電池蓋３３の閉状態が維持されるようになっている。
【００２８】
そして、電池４が電池収納室内に収納されてカメラ電池蓋３３が閉状態で維持された状態となったとき、電池４の接点部４ａは、電池収納室内に設けられている接点（図示せず）に当接した状態となる。これにより、カメラ２の内部電気回路に対して電池４の電力が供給されるようになっている。この状態において、本カメラ２は、単体で動作し得るようになっている。
【００２９】
カメラ外装部材１１の底面の略中央部分には、三脚ネジ穴３５ａを有する三脚座３５が形成されている。三脚ネジ穴３５ａは、例えば雌ネジで形成されており、カメラ２とバッテリホルダ３とを連結させたときに、バッテリホルダ３の着脱ネジ６１（雄ネジ）が螺合するようになっている。
【００３０】
三脚座３５を挟んで、その両側縁部近傍（本実施形態ではカメラ２の正面又は背面に向かって左右方向の縁部）には、カメラ２とバッテリホルダ３との間の電気的な接続を行うためのカメラ側接点３４ａ，３４ｂが配設されている。
【００３１】
カメラ側接点３４ａ，３４ｂは、カメラ２とバッテリホルダ３とを連結させたときに、バッテリホルダ３のホルダ側接点６２ａ，６２ｂ（後述する）に当接するようになっている。したがって、カメラ側接点３４ａ，３４ｂとホルダ側接点６２ａ，６２ｂとが接続状態になることで、カメラ２とバッテリホルダ３との間の電気的接続が確保されるようになっている。
【００３２】
バッテリホルダ３は、バッテリホルダ外装部材５１と、このバッテリホルダ外装部材５１の内部に配設される各種の電気的構成部材等と、バッテリホルダ外装部材５１の外表面に設けられる複数の操作部材等によって構成される。
【００３３】
バッテリホルダ外装部材５１に設けられる複数の操作部材としては、例えば前面の所定の部位に配置されるホルダシャッターボタン５２，ホルダサブダイヤル５３や、側面の所定の部位に配置される縦位置操作ロックノブ５４や、背面の所定の部位に配置されるホルダメインダイヤル５５，ファンクションボタン５６，測距点選択ボタン５７等がある。なお、これらの操作部材についても、本発明とは直接関連しない部分であるので、その詳細説明は省略する。
【００３４】
また、バッテリホルダ外装部材５１の背面には、ホルダ電池蓋５８が、一端を回転軸として図７に示す矢印Ｒ２方向に回動自在に配設されている。このホルダ電池蓋５８は、バッテリホルダ３の内部に形成される電池収納室の開口５１ａを開閉するために設けられている。そのために、ホルダ電池蓋５８には電池蓋開閉ノブ５８ａ（図２，図４参照）が設けられている。そして、この電池蓋開閉ノブ５８ａを操作することにより、ホルダ電池蓋５８を用いてバッテリホルダ外装部材５１の背面の開口５１ａを閉塞する閉状態としたり、同開口５１ａの閉状態を開放する開状態とすることができるようになっている。
【００３５】
なお、バッテリホルダ３の電池収納室の開口５１ａの周縁部の所定の部位には、図７に示すように、電池収納室内に収納された電池４等が脱落するのを抑止し、同電池４等の収納状態を維持するためのロックレバー５１ｂが配設されている。そのために、電池収納室内に電池４等が確実に収納されたとき、ロックレバー５１ｂが電池４の凹部４ｂに係合するようになっている。
【００３６】
バッテリホルダ外装部材５１の上面の略中央部分には、カメラ２の上記三脚ネジ穴３５ａに対応する部位に着脱ネジ６１が上方に向けて突設されている（図３，図４参照）。この着脱ネジ６１は、バッテリホルダ外装部材５１の背面の上縁部近傍に配設されるカメラ着脱ノブ６０の図４に示す矢印Ｒ３方向の回動操作に連動して、同方向に回動するようになっている。したがって、カメラ着脱ノブ６０を操作して三脚ネジ穴３５ａに着脱ネジ６１を螺合させることで、カメラ２とバッテリホルダ３とを一体に連結させることができるようになっている。ここで、三脚ネジ穴３５ａと着脱ネジ６１は、カメラ２とバッテリホルダ３とを連結する連結機構を構成している。
【００３７】
着脱ネジ６１を挟んで、その両側縁部近傍（本実施形態ではバッテリホルダ３の背面に向かって左右方向の縁部）には、上記カメラ側接点３４ａ，３４ｂに対応する部位にホルダ側接点６２ａ，６２ｂが上方に向けて突設されている（図３，図４参照）。このホルダ側接点６２ａ，６２ｂは、上述したように、カメラ２とバッテリホルダ３とが連結した状態となったとき、上記カメラ側接点３４ａ，３４ｂに当接し接続状態になることで、カメラ２とバッテリホルダ３との間の電気的接続が確保されるようになっている。
【００３８】
バッテリホルダ３の電池収納室内には、電池４を二個収納することができるようになっている。また、バッテリホルダ３の電池収納室内には、上記電池４に代えて、同電池４と略同形状に形成され記憶媒体６を収納する記憶媒体収納筐体５（詳細構成は後述する）を収納することができるようになっている。
【００３９】
バッテリホルダ３の電池収納室内に電池４又は記憶媒体収納筐体５を収納するのに際しては、電池蓋開閉ノブ５８ａを操作してホルダ電池蓋５８を回動させて、電池収納室の開口５１ａ開状態とした後、この開口５１ａから電池収納室内に向けて電池４又は記憶媒体収納筐体５を挿入する。そして、電池４又は記憶媒体収納筐体５が電池収納室内に確実に収納された状態となったとき、ロックレバー５１ｂが電池４の凹部４ｂ又は記憶媒体収納筐体５の凹部５ｆ（後述する）に作用する。これにより、電池収納室内に収納された電池４又は記憶媒体収納筐体５は電池収納室からの脱落が抑止される。
【００４０】
この状態で、ホルダ電池蓋５８を回動させて閉状態とし、電池蓋開閉ノブ５８ａを操作して、ホルダ電池蓋５８をバッテリホルダ外装部材５１の背面に対して固定させると、ホルダ電池蓋５８の閉状態が維持される。
【００４１】
次に、本実施形態の記憶媒体収納筐体５の詳細構成を、図９，図１０によって以下に説明する。
【００４２】
本実施形態の記憶媒体収納筐体５は、全体的な外形形状が、図８に示す電池４と略同形状に形成されている。記憶媒体収納筐体５の長手方向の一方の端部であって、電池４の接点部４ａの配設部位に相当する同位置には、該接点部４ａと同数同形状の凹部５ａが形成されている。
【００４３】
また、記憶媒体収納筐体５の長手方向の他方の端部には、切欠部５ｂが形成されていて、この切欠部５ｂ内に形成される壁面５ｃには、当該記憶媒体収納筐体５の内部に形成され記憶媒体６を収納する収納部である記憶媒体収納室５ｇの開口５ｄが形成されている。
【００４４】
なお、図９，図１０に示すように、本実施形態の記憶媒体収納筐体５においては、複数（２つ）の記憶媒体収納室５ｇを有する形態を例示している。したがって、本実施形態の記憶媒体収納筐体５には、２つの記憶媒体収納室５ｇのそれぞれに対応する２つの開口５ｄが形成されている。
【００４５】
そして、記憶媒体収納筐体５の長手方向の他方の端部であって、上記切欠部５ｂが形成される側とは反対側の面の端部には、電池４の凹部４ｂに相当する凹部５ｆが、同凹部４ｂの配設位置と略同位置に形成されている。即ち、切欠部５ｂ以外の外形形状は電池４の外形形状と同一となっている。
【００４６】
なお、記憶媒体収納筐体５の記憶媒体収納室５ｇ収納される記憶媒体６としては、例えば図９に示すようなカード型形状の記憶媒体が適用される。
【００４７】
この記憶媒体６を記憶媒体収納筐体５の記憶媒体収納室５ｇ内に収納するのに際しては、記憶媒体収納室５ｇの開口５ｄから記憶媒体収納室５ｇ内に向けて、図９の矢印Ｂに沿う方向に記憶媒体６を挿入する。そして、記憶媒体６が記憶媒体収納室５ｇ内に収納された状態となったとき、記憶媒体６の挿入方向における一方の端部が、図１０に示すように、開口５ｄから外部に突出した状態となる。このとき、記憶媒体６の外部に露出している側の一方の端面６ａは、記憶媒体収納筐体５の壁面５ｃより突出し、最端面５ｅよりも記憶媒体収納室５ｇ側に若干没した状態とされる。記憶媒体収納筐体５の形状をこのような形状としているのは、記憶媒体６の記憶媒体収納筐体５に対する挿抜を容易にし、記憶媒体収納筐体５が電池収納室内に収納（装填）されたときに、電池蓋３３，５８の閉状態を阻害しないようにするための措置である。
【００４８】
また、記憶媒体６が記憶媒体収納筐体５の記憶媒体収納室５ｇ内に収納された状態となったとき、記憶媒体６の接点部分（特に図示せず）が記憶媒体収納室５ｇ内に配置されるようにするのが望ましい。
【００４９】
なお、記憶媒体収納室５ｇ内に収納された記憶媒体６は、公知の摩擦手段等によって記憶媒体収納室５ｇからの脱落が抑止されるようになっている。また、記憶媒体６の脱落を抑止する方法としては、これとは別に、記憶媒体６が収納室内に収納された状態で係止されるようにする機構を設けるようにしてもよい。そのための係止機構も種々の公知の機構を適用できる。
【００５０】
以上説明したように上記一実施形態によれば、記憶媒体収納筐体５の形状を電池４の形状と略同形状としたので、カメラ２とバッテリホルダ３とを連結させた形態のカメラシステム１を使用する際には、バッテリホルダ３の電池収納室に記憶媒体６を収納した記憶媒体収納筐体５を無理なく収納することができる。したがって、予備として携帯すべき記憶媒体６をカメラ２と共に一体化させて携帯することができるので、記憶媒体６の紛失等の問題を解消できる。
【００５１】
また、記憶媒体収納筐体５の記憶媒体収納室５ｇ内に記憶媒体６を収納した状態において、記憶媒体６の接点部分（特に図示せず）が記憶媒体収納室５ｇ内に配置されるようにしたので、記憶媒体６の接点部分等を保護することができる。
【００５２】
さらに、記憶媒体６を収納した状態の記憶媒体収納筐体５を、バッテリホルダ３の記憶媒体収納室５ｇ内に収納した状態では、ホルダ電池蓋５８を閉状態とすることで、収納された記憶媒体６を確実に保護することができる。
【００５３】
この場合において、カメラ２及びバッテリホルダ３からなるカメラシステム１が防塵防滴処理の施されたものであれば、バッテリホルダ３の内部に記憶媒体６を収納するようにしているので、記憶媒体６の汚損等から、より確実に保護することができる。
【００５４】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００５５】
【図１】本発明の一実施形態の記憶媒体収納筐体が適用されるカメラシステムの主に前面側を示す外観斜視図。
【図２】本発明の一実施形態の記憶媒体収納筐体が適用されるカメラシステムの主に背面側を示す外観斜視図。
【図３】図１，図２のカメラシステムにおけるカメラ本体とバッテリホルダとを分離した状態において主に前面側を示す分解斜視図。
【図４】図１，図２のカメラシステムにおけるカメラ本体とバッテリホルダとを分離した状態において主に背面側を示す分解斜視図。
【図５】図１，図２のカメラシステムにおけるカメラ本体と、カメラ本体内に装着されるバッテリの主に前面側を示す斜視図。
【図６】図１，図２のカメラシステムにおけるカメラ本体と、カメラ本体内に装着されるバッテリの主に背面側を示す斜視図。
【図７】図１，図２のカメラシステムの背面側を示し、バッテリホルダの開口蓋を開状態とした状態の外観斜視図。
【図８】図１，図２のカメラシステムに適用される電池を示す外観斜視図。
【図９】本発明の一実施形態の記憶媒体収納筐体とこれに収納される記憶媒体を示す外観斜視図。
【図１０】本発明の一実施形態の記憶媒体収納筐体に対して記憶媒体が収納されている状態を示す外観斜視図。
【符号の説明】
【００５６】
１……カメラシステム
２……カメラ
３……バッテリホルダ
４……電池
５……記憶媒体収納筐体
６……記憶媒体
１１……カメラ外装部材
３１……ライブビューボタン
３３……カメラ電池蓋
３３ａ……電池蓋開閉ノブ
３４ａ，３４ｂ……カメラ側接点
３５……三脚座
３５ａ……三脚ネジ穴
５１……バッテリホルダ外装部材
５１ａ……開口
５８……ホルダ電池蓋
５８ａ……電池蓋開閉ノブ
６０……カメラ着脱ノブ
６１……着脱ネジ
６２ａ，６２ｂ……ホルダ側接点
【図１】
2010154071.tif 000003
【図２】
2010154071.tif 000004
【図３】
2010154071.tif 000005
【図４】
2010154071.tif 000006
【図５】
2010154071.tif 000007
【図６】
2010154071.tif 000008
【図７】
2010154071.tif 000009
【図８】
2010154071.tif 000010
【図９】
2010154071.tif 000011
【図１０】
2010154071.tif 000012